【手続補正書】
【提出日】平成26年4月25日(2014.4.25)
【手続補正１】
【補正対象書類名】特許請求の範囲
【補正対象項目名】全文
【補正方法】変更
【補正の内容】
【特許請求の範囲】
【請求項１】
壁に固定される取り付け板によって前記壁に保持される箱において、
内部に発熱性電気素子を収容するように裏壁と周囲壁によって表側開口を形成したケー
シングと、
前記ケーシングの表側開口を密閉するように前記ケーシングに着脱可能に設けられる蓋
と、
前記発熱性電気素子が伝熱状態に取り付けられる基板に複数の並行放熱フィンを有し、
前記放熱フィン間通路を上下方向とする状態で前記放熱フィンが後方へ突出するよう前記
ケーシングの裏壁に取り付けられるヒートシンクと、を備え、
前記ケーシングには前記ヒートシンクの放熱フィンの左右両側に後方へ延びる補助部材
が取り付けられ、前記取り付け板と前記左右の補助部材とで前記ケーシングを前記壁に保
持することを特徴とする箱。
【請求項２】
前記ケーシングが前記取り付け板に保持された状態で、前記取り付け板にて前記放熱フ
ィンの後端が覆われ、前記複数の放熱フィン間に上下方向に空気が通るトンネル通路が形
成されることを特徴とする請求項１に記載の箱。
【請求項３】
前記左右の補助部材は、それぞれカバーによって覆われることを特徴とする請求項１又
は２に記載の箱。
【手続補正２】
【補正対象書類名】明細書
【補正対象項目名】発明の名称
【補正方法】変更
【補正の内容】
【発明の名称】箱
【手続補正３】
【補正対象書類名】明細書
【補正対象項目名】０００１
【補正方法】変更
【補正の内容】
【０００１】
本発明は、建物などの壁面に取り付けられる箱に関する。
【手続補正４】
【補正対象書類名】明細書
【補正対象項目名】０００６
【補正方法】削除
【補正の内容】
【手続補正５】
【補正対象書類名】明細書
【補正対象項目名】０００８
【補正方法】変更
【補正の内容】
【０００８】
本発明の箱は、壁に固定される取り付け板によって前記壁に保持される箱において、内
部に発熱性電気素子を備えた電気回路を収容するように裏壁と周囲壁によって表側開口を
形成したケーシングと、前記ケーシングの表側開口を密閉するように前記ケーシングに着
脱可能に設けられる蓋と、前記発熱性電気素子が伝熱状態に取り付けられる基板に複数の
並行放熱フィンを有し、前記放熱フィン間通路を上下方向とする状態で前記放熱フィンが
後方へ突出するよう前記ケーシングの裏壁に取り付けられるヒートシンクと、を備え、前
記ケーシングには前記ヒートシンクの放熱フィンの左右両側に後方へ延びる補助部材が取
り付けられ、前記取り付け板と前記左右の補助部材とで、前記ケーシングを前記壁に保持
することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
本発明では、取り付け壁から箱が突出する長さを抑制できると共に、発熱性電気素子が
発熱する熱の放散を達成できるものとなる。また、外部から放熱フィンが受ける損傷を防
止するガード機能を補助部材が負うことができる。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】変更
【補正の内容】
【００２２】
【図１】本実施例に係る集電箱の内部構成を示す分解斜視図である。
【図２】本実施例に係る開閉器エリアに設けた開閉器取り付け台の斜視図である。
【図３】本実施例に係る集電箱のケーシングの内部構成を示す図である。
【図４】本実施例に係る集電箱の回路構成図である。
【図５】本実施例に係る集電箱の背面側の斜視図である。
【図６】本実施例に係る集電箱の背面部における取り付け板、化粧カバー及びケーシングの背面部の関係を示す分解斜視図である。
【図７】本実施例に係る集電箱の背面部における取り付け板と取り付け補助部材との関係を示す分解斜視図である。
【図８】本実施例に係る集電箱の取り付け順序をＡ、Ｂ、Ｃで示す説明図である。
【図９】本実施例に係る集電箱の正面斜視図である。
【図１０】本実施例に係る集電箱の表側の蓋を外した状態の正面側の斜視図である。
【図１１】本実施例に係る集電箱を建物の外壁に取り付けた第１実施形態の側面図である。
【図１２】本実施例に係る集電箱を建物の外壁に取り付けた第２実施形態の側面図である。
【図１３】本実施例に係る集電箱内の発熱性電気素子がヒートシンクへ伝熱状態に取り付けられた状態を示す側面図である。
【手続補正２０】
【補正対象書類名】明細書
【補正対象項目名】００２３
【補正方法】変更
【補正の内容】
【００２３】
以下に実施例を図に基づき説明する。
【手続補正２１】
【補正対象書類名】明細書
【補正対象項目名】００２４
【補正方法】変更
【補正の内容】
【００２４】
本実施例に係る取り付け装置を有する集電箱１は、図１１または図１２に示すように、
建物の外壁等の取り付け壁４０に沿って縦方向に取り付けられる屋外設置式である場合と
、建物の内壁等の取り付け壁４０に沿って縦方向に取り付けられる屋内設置式である場合
のいずれにも適用できるものである。
【手続補正２２】
【補正対象書類名】明細書
【補正対象項目名】００２５
【補正方法】変更
【補正の内容】
【００２５】
本実施例に係る集電箱１は、建物の外壁や内壁等の取り付け壁４０に固定された取り付
け板４２と共同にて、集電箱１の裏側が上部保持部６０Ａと下部保持部６０Ｂによって支
持されるものである。本実施例に係る集電箱１は、内部に発熱性電気素子を備えた電気回
路を収容するように裏壁５Ａと周囲壁５Ｂによって表側開口５Ｃを形成したケーシング５
と、ケーシング５の表側開口５Ｃを密閉するようにケーシング５に着脱可能に固定される
蓋６を備えている。そして、後述のように、ケーシング５の裏壁５Ａに形成した孔５Ｐの
周縁部にヒートシンク１５の基板１５Ａが取り付けられ、放熱フィン１５Ｂがケーシング
５の後方へ突出する状態でケーシング５の裏壁５Ａの一部をヒートシンク１５の基板１５
Ａが構成する。更に、孔５Ｐを通してヒートシンク１５の基板１５Ａに前記発熱性電気素
子が伝熱状態に配置され、ケーシング５の裏壁５Ａにはヒートシンク１５の放熱フィン１
５Ｂの左右両側に取り付け補助部材４１を備え、取り付け板４２と左右の取り付け補助部
材４１とで、上部保持部６０Ａと下部保持部６０Ｂを構成する。
【手続補正２３】
【補正対象書類名】明細書
【補正対象項目名】００２６
【補正方法】変更
【補正の内容】
【００２６】
以下、本実施例に係る集電箱１の具体例と、取り付け板４２に対する集電箱１の取り付
け構成について記載する。本実施例に係る集電箱１は、複数の太陽電池モジュール３を直
列／並列接続した太陽電池ストリング２からの直流電力を入力として所要の電気処理動作
によって直流電力を出力するものであり、以下、その集電箱１の構成及び機能と、取り付
け板４２に対する集電箱１の取り付け構成について記載する。
【手続補正２４】
【補正対象書類名】明細書
【補正対象項目名】００２７
【補正方法】変更
【補正の内容】
【００２７】
本実施例に係る集電箱１は、複数の太陽電池モジュール３を電気的接続した太陽電池ス
トリング２からの直流電力を入力源として所要の電気処理動作によって直流電力を出力す
るものであり、この直流電力を交流電力に変換するパワーコンディショナ４へ供給するも
のである。パワーコンディショナ４は、集電箱１から供給される直流電力を交流電力に変
換するインバータ回路を備え、商用電力系統ＧＲＩＤの周波数に相当する所定の低周波数
の正弦波の交流電力として、例えば、単相交流２００Ｖの商用電力系統ＧＲＩＤへ供給す
る構成である。
【手続補正２５】
【補正対象書類名】明細書
【補正対象項目名】００２８
【補正方法】変更
【補正の内容】
【００２８】
実施例に示す集電箱１は、家屋の屋根の東西南北にそれぞれ１セットの太陽電池発電パ
ネルを設置する関係にて合計４セットを配置する場合のものとし、この場合、一つの太陽
電池発電パネルに相当するものが、本実施例における一つの太陽電池ストリングに相当す
るものとして説明する。このため、以下の実施例では、上記４セットの太陽電池発電パネ
ルは、４個（４セット）の太陽電池ストリング２Ａ、２Ｂ、２Ｃ、２Ｄに相当するものと
して説明する。
【手続補正２６】
【補正対象書類名】明細書
【補正対象項目名】００３２
【補正方法】変更
【補正の内容】
【００３２】
本実施例では、図３に示すように、ケーシング５内には、複数の太陽電池モジュール３
を電気的に直列／並列接続した一つの太陽電池ストリングに対応するＤＣ／ＤＣ変換回路
の複数が横一列に配置されるＤＣ／ＤＣ変換回路エリア７Ｓと、このＤＣ／ＤＣ変換回路
ごとに入力回路を開閉する開閉器８を配置する開閉器エリア８Ｓと、前記ＤＣ／ＤＣ変換
回路とパワーコンディショナ４の入力側を接続する出力端子９を収容する出力側エリア９
Ｓとを備え、ＤＣ／ＤＣ変換回路エリア７Ｓの一側方に入力側エリアとなる開閉器エリア
８Ｓが配置され、ＤＣ／ＤＣ変換回路エリア７Ｓの他側方に出力側エリア９Ｓが配置され
ている。
【手続補正２７】
【補正対象書類名】明細書
【補正対象項目名】００３９
【補正方法】変更
【補正の内容】
【００３９】
本実施例では、集電箱１の小型化と、ケーシング５の小型化と、更に集電箱１内の配線
のし易さを達成するために、開閉器８Ａ、８Ｂ、８Ｃ、８Ｄの配置及び取り付け構造に特
徴がある。以下これについて説明する。
【手続補正２８】
【補正対象書類名】明細書
【補正対象項目名】００６１
【補正方法】変更
【補正の内容】
【００６１】
本発明に係る箱は、上記実施例に示した構成に限定されず、種々の形態のものに適用で
きるものであり、本発明の技術範囲において種々の形態を包含するものである。